(57)【要約】      （修正有）【課題】浴槽を使用中で配管管路の水が循環している場合も支障なく毎日清掃できるバイパス取り付方式による低価格で清掃作業負担を軽減するワンタッチ開閉式ヘアキャッチャ−を提供する。【解決手段】浴槽水のろ過循環装置における既存又は新設のろ過循環配管管路にフランジ付バイパス管路３を設置し、バイパス管路３に、浴槽内の雑芥物収納及び除去するため、ワンタッチ式開閉蓋付で清掃が容易で清潔が常に保てるヘアキャッチャ−５を設ける。【選択図】図１
2013255726.tif 000002
【特許請求の範囲】
【請求項１】
浴槽水のろ過循環装置における既存又は新設のろ過循環配管管路にバイパス方式
により設置し、浴槽内の雑芥物収納及び除去するため、ワンタッチ式開閉蓋付で清
掃が容易で清潔が常に保てるヘアキャッチャ−。
【請求項２】
ろ過循環管路にバイパス管路にフランジで設置し、浴槽使用中でも清掃作業を可
能にし、ヘアキャチャ−を片方ずつ清掃ができる。循環水は上部横から取り入れ、
下部横から送り出す円筒形で、上部に備えた円形ワンタッチ式開閉蓋は１１０度開
き、本体内部に設けた補強付ステンレス綾織籠に収納された雑芥物を籠ごと取出し
除去及び清掃が毎日容易に出来る請求項１記載のヘアキャチャ−。
【請求項３】
本体のフランジと蓋部のフランジは、ワンタッチ式ハンドルでロックでき、フラ
ンジ中央部に溝を設けＯリングをはめ込むことで空気の進入を防ぎ管路内の水の循
環を正常に確保することが出来る請求項1から２記載のヘアキャチャ−。
【発明の詳細な説明】
【技術分野】
【０００１】
本発明は、公衆浴場等において、浴槽水を再利用する場合のろ過循環装置におけ
る浴槽及び配管管路における不純物いわゆる雑芥物の除去装置で、毎日清掃が容易
にできるワンタッチ開閉蓋付アキャチャ−の提供に関する。
【背景技術】
【０００２】
温泉、旅館等において公衆浴場法に基づく浴槽水の再利用をする場合、ヘアキャ
チャ−の設置が義務付けられていて、これを毎日清掃しなければならない義務もあ
る。ろ過装置は高額費用でも許されるが、ヘアキャチャ−はほとんどが無視されて
いるため、毎日容易に清掃できるものが開発されず、配管管路に固定型の古くから
のもので、優れた製品は普及されにくく新製品の開発も模索しているが進歩はない。
当該発明の属する分野にある従来の技術を記載します。
【先行技術文献】
【特許文献】
【０００３】
【特許文献１】特開2005−058639号公報
【特許文献２】特開2005−288280号公報
【特許文献３】特開平08−019714号公報
【発明の概要】
【発明が解決しようとする課題】
【０００４】
本発明の目的は、発明人の新たなる知見及び技術を活用し、配管管路の水が循環
している場合は清掃作業ができできず、ヘアキャチャ−の脱着が困難であるため毎
日の清掃と、浴槽使用中は清掃できない。
これを、浴槽使用中にも毎日容易に清掃が出来、低価格で清掃作業負担を軽減す
ることができるアキャチャ−を提供することにある。
【０００５】
公衆浴場法により毎日の清掃が義務付けられているが、従来のヘアキャチャ−は、
配管管路にフランジ方式によりボルトで固定されているため脱着が容易に出来ない
ろ過循環装置の設備の状況によっては脱着が容易ではないため専門職に依頼しなけ
れば清掃もできないこともあり毎日の清掃は困難を極める。
【０００６】
そこで、従来のヘアキャチャ−は、雑芥物の除去がしにくいため、雑芥物等と共
に水の汚れがヘアキャチャ−に残留し、雑菌類の温床になりかねないことも分って
はいるが、毎日の清掃の対応は難しく、それでもやむなく利用をしている。
【課題を解決するための手段】
【０００７】
本発明のヘアキャチャ−は、公衆浴場等における浴槽水再利用に関しては必ず設
置しなければならない設備であり、且つ、毎日雑芥物を除去し清掃しなければなら
ないが、脱着が容易であるか、蓋付きで蓋の開閉が容易に出来なければならず、労
力の削減と、低コストのヘアキャチャ−を開発することにより従来の課題を解決す
ることができる。
【０００８】
発明者が追求を重ねたところ、ヘアキャチャ−の構造及び設置の方法をバイパス
方式に替え、蓋の開閉をワンタッチにし、本体内部に設けた補強付ステンレス綾織
籠により雑芥物は籠ごと取り出すことが出来、雑芥物の除去及び清掃を簡単にする
ことで、清掃作業負担の軽減及びコスト削減が出来るため、本発明のヘアキャチャ
−優れものであり公衆浴場等に最適で、安全で安心であることが見出された。
【発明の効果】
【０００９】
本発明のヘアキャチャ−は、バイパス配管路ヲ新たに設け、取付けはフランジ式と
し、ヘアキャチャ−の蓋はワンタッチ開閉で行い本体内部には、ステンレス製の籠
を備えているため、浴槽の使用中に片方ずつ雑芥物の除去及び清掃作業操作が出来、
毎日の清掃に浴槽の使用を中断することなく安全で安心して使うことができる。
【図面の簡単な説明】
【００１０】
【図１】本発明に係る全体イメ−ジ図である。
【図２】本発明に係る設備全体立面図である。
【図３】本発明に係るヘアキャッチャーの見下ろし平面図である。
【図４】本発明に係るヘアキャッチャーの側面図である。
【図５】本発明に係るヘアキャッチャーの断面図である。
【発明を実施するための形態】
【実施例１】
【００１１】
（製造方法と構造）
本発明のヘアキャチャ−は、既存のヘアキャチャ−をフランジ部分から取り外し
既存配管を損なわずに、同場所にフランジ接合できる本体固定型構造で、部材の一
切はステンレスで、接合部は溶接して一体化させ製造する。
なお、本体は上部にワンタッチ式開閉蓋を備え、蓋のフランジ部には溝を設け、
Ｏリングを用いて蓋を密閉する。
本体内部にはきステンレス製の綾織網を補強して籠に加工したものを備え、流れ
来る雑芥物を収納し、この籠を本体から取り外し雑芥物が容易に除去できる構造で
ある。
【実施例２】
【００１２】
（試験方法）
本発明のヘアキャチャ−は、浴槽水のろ過循環装置管路において、浴槽水が浴槽
からろ過器に入り込む直前に設置し、ここを通過することにより雑芥物を収容し、
除去して清掃できることを浴槽水の完全潅水毎に運転し水の循環が通常であるか確
認する。
【産業上の利用可能性】
【００１３】
本発明のヘアキャチャ−は、ワンタッチにより蓋の開閉が容易にきるため、従来
毎日の清掃が困難を極めたが、本発明のヘアキャチャ−をバイパス式で設置するこ
とにより、浴槽の使用中でも水を抜くことなく作業が出来、作業負担の軽減により、
清潔で安全・安心して入浴することができるため、公衆浴場等においても広く用い
ることが可能となり、従来からの課題の解決を図ることができ、社会に大きく貢献
することができる。
【符号の説明】
【００１４】
１    浴槽  
２    ろ過循環管路
３    フランジ付バイパス管路
４    ボ−ルバルブ
５    ヘアキャチャ−
６    バルブ付き水抜き
７    架台
８    循環ポンプ
９    ろ過器
１０    加温器（ボイラ）
１１    消毒器
１２    ヘアキャチャ−本体
１３    開閉蓋
１４    Ｏリング付蓋フランジ
１５    回転軸
１６    蓋明けハンドル
１７    取り出し自由、補強付ステンレス綾織籠
１８    ワンタッチ式蓋ロックハンドル
【図１】
2013255726.tif 000003
【図２】
2013255726.tif 000004
【図３】
2013255726.tif 000005
【図４】
2013255726.tif 000006
【図５】
2013255726.tif 000007